(57)【要約】【課題】液体食品や食品粉体等を充填するための新規な包装容器を提供する。【解決手段】上縁部２２及び下縁部２４がシールされた袋体２６を有し、上縁部２２と下縁部２４とを結ぶ帯状の中央部２８がシールされ、中央部２８の両側にそれぞれ収納部３０Ａ、３０Ｂが設けられている。【選択図】図１
2017154799.tif 000002
【特許請求の範囲】
【請求項１】
上縁部及び下縁部がシールされた袋体を有し、前記上縁部と前記下縁部とを結ぶ帯状の中央部がシールされ、前記中央部の両側にそれぞれ収納部が設けられていることを特徴とする包装容器。
【請求項２】
請求項１記載の包装容器において、
前記収容部にはストロー穴が設けられていることを特徴とする包装容器。
【請求項３】
請求項１又は２記載の包装容器において、
前記袋体を形成するための帯状包材の一対の縁部が前記中央部でシールされていることを特徴とする包装容器。
【請求項４】
請求項３記載の包装容器において、
前記袋体を形成するための前記帯状包材の一対の縁部が、前記中央部で離間してシールされており、前記一対の縁部がシールされていない前記中央部の離間領域に、前記上縁部と前記下縁部とを結ぶ線状のパーフォレーションが設けられている
ことを特徴とする包装容器。
【発明の詳細な説明】
【技術分野】
【０００１】
本発明は、液体食品や食品粉体等を充填する包装容器に関する。
【背景技術】
【０００２】
柔軟性に富んだ紙製包装積層材料は多年にわたって液体食品等を包装するために用いられてきた。牛乳、ジュース、清酒、焼酎、ミネラルウォーター及びその他飲料のための包装容器は、例えば、繊維質基材（例えば、紙など）／プラスチック積層体に折目線が付けられたウェブ状包装積層材料を、その長手方向の縦シールによりチューブ状に成形し、チューブ状に成形された包装材料内に被充填物を充填し、チューブ状包装材料を横断方向に横シールし、枕状の包装体に成形する。枕状の包装体を横シール部分で容器１個分ごとに切断し、折目線に沿って折畳んで、レンガ状の包装容器が成形される。この種の包装容器としては、レンガ形容器の他、切妻屋根型容器、片流れ屋根型容器、５角柱形状容器、６角柱形状容器、８角柱形状容器などがある（特許文献１、特許文献２参照）。
【先行技術文献】
【特許文献】
【０００３】
【特許文献１】特開２０１４−０１５２５６号公報
【特許文献２】特開平８−２８１６０４号公報
【発明の概要】
【発明が解決しようとする課題】
【０００４】
本発明の目的は、液体食品や食品粉体等を充填するための新規な包装容器を提供することにある。
【課題を解決するための手段】
【０００５】
本発明の一態様による包装容器は、上縁部及び下縁部がシールされた袋体を有し、前記上縁部と前記下縁部とを結ぶ帯状の中央部がシールされ、前記中央部の両側にそれぞれ収納部が設けられていることを特徴とする。
【０００６】
上述した包装容器において、前記収容部にはストロー穴が設けられているようにしてもよい。
【０００７】
上述した包装容器において、前記袋体を形成するための帯状包材の一対の縁部が前記中央部でシールされているようにしてもよい。
【０００８】
上述した包装容器において、前記袋体を形成するための前記帯状包材の一対の縁部が、前記中央部で離間してシールされており、前記一対の縁部がシールされていない前記中央部の離間領域に、前記上縁部と前記下縁部とを結ぶ線状のパーフォレーションが設けられているようにしてもよい。
【発明の効果】
【０００９】
以上の通り、本発明によれば、上縁部及び下縁部がシールされた袋体を有し、上縁部と下縁部とを結ぶ帯状の中央部がシールされ、中央部の両側にそれぞれ収納部が設けられているので、液体食品や食品粉体等を充填する新規な包装容器を提供することができる。
【図面の簡単な説明】
【００１０】
【図１】本発明の一実施形態による包装容器を示す斜視外観図である。
【図２】本発明の一実施形態による包装容器の平面図、正面図、側面図及び断面図である。
【図３】本発明の一実施形態による包装容器の展開図である。
【図４】本発明の一実施形態による包装容器を製造する包装充填装置の概略図である。
【発明を実施するための形態】
【００１１】
［包装容器］
本発明の一実施形態による包装容器について図１乃至図３を用いて説明する。図１は本実施形態による包装容器を示す斜視外観図であり、図２は本実施形態による包装容器の平面図、正面図、側面図及び断面図であり、図３は本実施形態による包装容器の展開図である。
【００１２】
本実施形態の包装容器２０は、図１及び図２に示すように、上縁部２２及び下縁部２４がシールされた袋体２６を有している。袋体２６は、上縁部２２と下縁部２４を結ぶ帯状の中央部２８でシールされる。これにより、袋体２６には、中央部２８の両側にふたつの収納部３０Ａ、３０Ｂが形成される。帯状の中央部２８の中央には上縁部２２と下縁部２４を結ぶ線状のパーフォレーション３２が形成されている。パーフォレーション３２を破断することにより、収納部３０Ａと収納部３０Ｂを分離することができる。収納部３０Ａ、３０Ｂには、必要に応じて、それぞれストロー穴３４Ａ、３４Ｂが形成される。
【００１３】
包装容器２０の大きさは、例えば、縦５０〜２００ｍｍ、横６０〜１５０ｍｍ、厚さ１０〜５０ｍｍである。帯状の中央部の幅は、例えば、５〜２０ｍｍである。
【００１４】
本実施形態の包装容器２０は、図３の展開図が上下に帯状に延びた形状の帯状包材４０を折りたたみ、シールし、切断することにより形成される。図２に示すように、帯状包材４０の一対の縁部４０Ａ、４０Ｂが内側に折りたたまれて、中央部２８で離間してシールされる。一対の縁部４０Ａ、４０Ｂの間は、帯状包材４０が単層となり、帯状包材４０の内面がむき出しとなっている。帯状包材４０の単層となる領域には予めパーフォレーション３２が形成されている。これにより、帯状包材４０の中央に予めパーフォレーション３２を形成するだけで、収納部３０Ａと収納部３０Ｂを分離可能な包装容器２０を簡単に製造することができる。
【００１５】
帯状包材４０は、例えば、外側樹脂層、紙コア層、接着樹脂層、バリア層、内部コーティング層、内側樹脂層が積層されている。
【００１６】
外側樹脂層は、耐水性および容器成形時のヒートシール性という機能を有し、例えば、低密度ポリエチレンにより形成され、例えば、１０〜３０μｍ厚である。
【００１７】
紙コア層は、容器としての機械的強度を保つ機能を有し、例えば、単層あるいは多層構成の板紙により形成され、例えば、坪量１００〜４００ｇ／ｍ２である。
【００１８】
接着樹脂層は、バリア層と紙コア層の接着という機能を有し、例えば、低密度エチレンにより形成され、例えば、５〜３０μｍ厚である。
【００１９】
バリア層は、ガスバリアという機能を有し、例えば、アルミ箔により形成され、例えば、５〜１５μｍ厚である。
【００２０】
内部コーティング層は、バリア層と内面樹脂層の接着という機能を有し、例えば、エチレンとアクリル酸の共重合体により形成され、例えば、５〜３０μｍ厚である。
【００２１】
内側樹脂層は、容器成形時のヒートシールという機能を有し、例えば、低密度ポリエチレンにより形成され、例えば、１０〜５０μｍ厚である。
【００２２】
本実施形態の包装容器２０には、例えば、ジュース、乳飲料、清涼飲料、調味料、酒類等の液体食品等を充填する。
【００２３】
包装容器２０が一対の収納部３０Ａと収納部３０Ｂが分離可能に一体となっている。この特徴を利用して、利用者に同時に提供することが適したもの、例えば、醤油とソース、ケチャップとマヨネーズ、豆腐と醤油、プリンとキャラメル、等を収納することができる。また、２人の利用者に同時に提供することが適したもの、例えば、オレンジジュースとグレープジュース、お茶とレモンティー、等を収納することができる。
【００２４】
［包装充填装置］
本発明による包装容器を製造する包装充填装置について図４を用いて説明する。
【００２５】
図３の展開図が上下に帯状に延びた形状の帯状包材１は、リールの状態で包装充填装置に供給される。帯状包材１は、紙基材、及び紙基材の両面にポリエチレン樹脂が積層された可撓性の積層体から成り、必要に応じて紙基材とフィルムとの間にアルミニウム箔、ガスバリア性樹脂等から成るバリア層が形成され、包装容器の表面に相当する部分にあらかじめ文字や模様などが印刷されている。
【００２６】
繰り出された帯状包材１は、搬送手段としての送り装置によって連続的に搬送される。帯状包材１は、フォーミングリング６等によって徐々に変形させられてチューブ状の形状に形成される。
【００２７】
続いて、帯状包材１は、縦シール装置８の予熱手段からのホットエアーによって予熱されて、縦方向にシールされて、ふたつの収納部が形成される。充填する食品は２本の充填パイプ７ａ、７ｂを介して、それぞれの収納部に供給される。
【００２８】
続いて、食品が充填された帯状包材１は、ローラ９により案内され、横シール装置１０に送られ、挟まれて横方向にシールされる。横シールされた包装積層材料は、切断刃などで切断されて枕状の予備成形容器１３が形成される。そして、予備成形容器１３は、最終成形搬送装置（図示せず）によって搬送されて最終の形状に成形され、食品を収容する包装容器１４が完成する。
【００２９】
［変形実施形態］
本発明は上記実施形態に限らず種々の変形が可能である。
【００３０】
例えば、上記実施形態の包装容器ではふたつの収容部が設けられていたが、ふたつの帯状の中央部を設けてシールして、３つの収容部を設けるようにしてもよい。帯状の中央部を更に多くしてひとつの包装容器に多数の収容部を設けるようにしてもよい。
【００３１】
また、上記実施形態の包装容器では袋体の中央部の両側のふたつの収納部の容量がほぼ同じであるが、充填するふたつの液体食品等の必要量に応じて収納部の容量を異ならせるようにしてもよい。
【符号の説明】
【００３２】
１  帯状包材
６  フォーミングリング
７ａ、７ｂ  充填パイプ
８  縦シール装置
９  ローラ
１０  横シール装置
１３  予備成形容器
１４  包装容器
２０  包装容器
２２  上縁部
２４  下縁部
２６  袋体
２８  帯状の中央部
３０Ａ、３０Ｂ  収納部
３２  パーフォレーション
３４Ａ、３４Ｂ  ストロー穴
４０  帯状包材
４０Ａ、４０Ｂ  一対の縁部
【図１】
2017154799.tif 000003
【図２】
2017154799.tif 000004
【図３】
2017154799.tif 000005
【図４】
2017154799.tif 000006